(57)【要約】【課題】回路規模を大きくすることなく、回路のコストを安価なものとして、多数列の発光ダイオードの各々に相等しい電流を流す。【解決手段】インダクタＬとスイッチングデバイスＱとを有するスイッチングコンバータを有する。また、複数個の発光ダイオードを直列接続してなる直列発光ダイオード列ＤＬ１、直列発光ダイオード列ＤＬ２と、を有する。また、整流ダイオードＤ１、整流ダイオードＤ２と、を有する。そして、スイッチングコンバータと、直列発光ダイオード列ＤＬ１、直列発光ダイオード列ＤＬ２との間に電流分配コイルＢＣを配した。電流分配コイルＢＣの第１巻線が発生する磁束と第２巻線が発生する磁束とが打ち消しあう方向に電流を流して各直列発光ダイオード列の各々に流れる電流を等しくする。【選択図】図１
2010045223.tif 000002
【特許請求の範囲】
【請求項１】
インダクタとスイッチングデバイスとを有するスイッチングコンバータと、
複数個の発光ダイオードを直列接続してなる直列発光ダイオード列と、
複数個の前記直列発光ダイオード列と各々が直列接続される複数個の整流ダイオードと、
前記直列発光ダイオード列と前記整流ダイオードとの接続点の各々に接続される複数個の電圧平滑のためのコンデンサと、
前記スイッチングコンバータと複数個の前記直列発光ダイオード列との間に配され、第１巻線が発生する磁束と第２巻線が発生する磁束とが打ち消しあう方向に電流を流して前記直列発光ダイオード列の各々に流れる電流を等しくする、１または複数個の電流分配コイルと、
を備える発光ダイオード駆動装置。
【請求項２】
前記第１巻線の一方と前記第２巻線の一方とが前記スイッチングコンバータに接続される、１個の電流分配コイルと、
前記電流分配コイルの前記第１巻線の他方に第１整流ダイオードを介して接続される、第１直列発光ダイオード列と、
前記第２巻線の他方に第２整流ダイオードを介して接続される、第２直列発光ダイオード列と、
からなる請求項１に記載の発光ダイオード駆動装置。
【請求項３】
第１電流分配コイルの前記第１巻線の一方と第２電流分配コイルの前記第１巻線の一方と第３電流分配コイルの前記第１巻線の一方とが前記スイッチングコンバータに接続され、前記第１電流分配コイルの前記第２巻線と前記第２電流分配コイルの前記第２巻線と前記第３電流分配コイルの前記第２巻線とが環状に接続される、３個の電流分配コイルと、
前記第１電流分配コイルの前記第１巻線の他方に第１整流ダイオードを介して接続される、第１直列発光ダイオード列と、
前記第２電流分配コイルの前記第２巻線の他方に第２整流ダイオードを介して接続される、第２直列発光ダイオード列と、
前記第３電流分配コイルの前記第１巻線の他方に第３整流ダイオードを介して接続される、第３直列発光ダイオード列と、
からなる請求項１に記載の発光ダイオード駆動装置。
【請求項４】
第１電流分配コイルの前記第１巻線の一方と第２電流分配コイルの前記第１巻線の一方と第３電流分配コイルの前記第１巻線の一方とが前記スイッチングコンバータに接続され、前記第１電流分配コイルの前記第１巻線の他方と前記第２電流分配コイルの前記第２巻線の一方とが接続され、前記第２電流分配コイルの前記第１巻線の他方と前記第３電流分配コイルの前記第２巻線の一方とが接続され、前記第３電流分配コイルの前記第１巻線の他方と前記第１電流分配コイルの前記第２巻線の一方とが接続される、３個の電流分配コイルと、
前記第１電流分配コイルの前記第１巻線の他方に第１整流ダイオードを介して接続される、第１直列発光ダイオード列と、
前記第２電流分配コイルの前記第２巻線の他方に第２整流ダイオードを介して接続される、第２直列発光ダイオード列と、
前記第３電流分配コイルの前記第１巻線の他方に第３整流ダイオードを介して接続される、第３直列発光ダイオード列と、
からなる請求項１に記載の発光ダイオード駆動装置。
【請求項５】
第１電流分配コイルの前記第１巻線の一方と前記第２巻線の一方とが前記スイッチングコンバータに接続され、第２電流分配コイルの前記第１巻線の一方と前記第２巻線の一方とが前記第１電流分配コイルの前記第２巻線の他方に接続され、第３電流分配コイルの前記第１巻線の一方と前記第２巻線の一方とが前記第１電流分配コイルの前記第１巻線の他方に接続される、３個の電流分配コイルと、
前記第２電流分配コイルの前記第２巻線の他方に第１整流ダイオードを介して接続される、第１直列発光ダイオード列と、
前記第２電流分配コイルの前記第１巻線の他方に第２整流ダイオードを介して接続される、第２直列発光ダイオード列と、
前記第３電流分配コイルの前記第２巻線の他方に第３整流ダイオードを介して接続される、第３直列発光ダイオード列と、
前記第３電流分配コイルの前記第１巻線の他方に第４整流ダイオードを介して接続される、第４直列発光ダイオード列と、
からなる請求項１に記載の発光ダイオード駆動装置。
【請求項６】
前記第１巻線の巻数が前記第２巻線の巻数の２倍となるようにして形成される第４電流分配コイルの前記第１巻線の一方と前記第２巻線の一方とが前記スイッチングコンバータに接続され、第２電流分配コイルの前記第１巻線の一方と前記第２巻線の一方とが前記第４電流分配コイルの前記第２巻線の他方に接続される、２個の電流分配コイルと、
前記第２電流分配コイルの前記第２巻線の他方に第１整流ダイオードを介して接続される、第１直列発光ダイオード列と、
前記第２電流分配コイルの前記第１巻線の他方に第２整流ダイオードを介して接続される、第２直列発光ダイオード列と、
前記第４電流分配コイルの前記第１巻線の他方に第３整流ダイオードを介して接続される、第３直列発光ダイオード列と、
からなる請求項１に記載の発光ダイオード駆動装置。
【請求項７】
前記第１直列発光ダイオード列の前記第１整流ダイオードに接続されない側と前記第２直列発光ダイオード列の前記第２整流ダイオードに接続されない側と前記第３直列発光ダイオード列の前記第３整流ダイオードに接続されない側とは、相互に接続され、
相互に接続される点には、
前記第１整流ダイオードと前記第１直列発光ダイオード列との接続点の電圧と前記第２整流ダイオードと前記第２直列発光ダイオード列との接続点の電圧と前記第３整流ダイオードと前記第３直列発光ダイオード列との接続点の電圧とは、異なる極性の電圧を発生する電圧源を接続する、請求項４に記載の発光ダイオード駆動装置。
【請求項８】
前記電圧源から前記第１直列発光ダイオード列と前記第２直列発光ダイオード列と前記第３直列発光ダイオード列とに電力が供給される時比率を制御する第１スイッチと、
前記スイッチングコンバータと、第１電流分配コイルの前記第１巻線の一方と第２電流分配コイルの前記第１巻線の一方と第３電流分配コイルの前記第１巻線の一方と、の間に前記第１スイッチと同期して導通時間の時比率が制御される第２スイッチを備える、請求項７に記載の発光ダイオード駆動装置。
【発明の詳細な説明】
【技術分野】
【０００１】
本発明は、発光ダイオード駆動装置に関する。
【背景技術】
【０００２】
近年、液晶を用いた液晶表示装置が種々の産業分野において広範囲に用いられている。このような液晶表示装置では、液晶パネルの裏面側にバックライト装置が設けられて液晶パネルに光を照射する構造が採用されている。バックライト装置としては、従来は、冷陰極蛍光ランプ（ＣＣＦＬ）が多く用いられていたが、近年では、発光ダイオード（ＬＥＤ）も用いられるようになってきた。発光ダイオードを用いる場合には、発光ダイオードを直列に接続して、駆動に適した電圧を複数個の直列接続された発光ダイオードの両端に印加するようになされている。さらに、直列接続された発光ダイオードを複数個並列して、広い面積に渡って発光ダイオードを発光させる技術も用いられている。
【特許文献１】特開２００８−１５２１０１号公報
【発明の開示】
【発明が解決しようとする課題】
【０００３】
しかしながら、発光ダイオードの順方向電圧（以下、電圧Vfと称する）は、ばらつきが大きく同じ品種であっても、電圧Vfには差がある。このため、発光ダイオードを定電圧制御で駆動する場合には、電圧Vfが低い場合には大きな電流、電圧Vfが高い場合には小さな電流が流れる事になり、バックライト装置から得られる光の輝度が一定にならない。この電圧Vfのばらつきの影響を受けずに輝度を一定に制御するために、発光ダイオードを定電流駆動する技術も採用されてきた。従来は、直列に接続された発光ダイオードの1列につき1つの定電流制御回路が用いられてきた。そのために、多数列の発光ダイオードを駆動するためには列の数だけの定電流制御回路として形成される駆動回路が必要とされてきた。また、回路規模が小さく安価なシリーズレギュレータ方式の制御回路では、電源電圧と電圧Vfs（複数個を直列接続する場合には直列接続された各電圧Vfの総和が電圧Vfsである）の差による電力損失が大きくなってしまうという現状がある。一方、電力損失の少ないスイッチングレギュレータ方式の制御回路を用いる場合には、回路規模が大きくなってしまい、実装面積が大きくなり、回路のコストが高いものとなるという問題が生じている。
【０００４】
本発明は上述した課題に鑑み、回路規模を大きくすることなく、回路のコストを安価なものとして、多数列の発光ダイオードの各々に等しい電流を流すことができる発光ダイオード駆動装置を提供するものである。
【課題を解決するための手段】
【０００５】
本発明の発光ダイオード駆動装置は、インダクタとスイッチングデバイスとを有するスイッチングコンバータと、複数個の発光ダイオードを直列接続してなる直列発光ダイオード列と、複数個の前記直列発光ダイオード列と各々が直列接続される複数個の整流ダイオードと、前記直列発光ダイオード列と前記整流ダイオードとの接続点の各々に接続される複数個の電圧平滑のためのコンデンサと、前記スイッチングコンバータと複数個の前記直列発光ダイオード列との間に配され、第１巻線が発生する磁束と第２巻線が発生する磁束とが打ち消しあう方向に電流を流して前記直列発光ダイオード列の各々に流れる電流を等しくする、１または複数個の電流分配コイルと、を備える。
【０００６】
本発明の発光ダイオード駆動装置では、スイッチングコンバータと複数個の直列発光ダイオード列との間に配され、第１巻線が発生する磁束と第２巻線が発生する磁束とが打ち消しあう方向に電流を流す、１または複数個の電流分配コイルを備える。そして、直列発光ダイオード列の各々に流れる電流を等しくする。
【発明の効果】
【０００７】
本発明によれば、第１巻線が発生する磁束と第２巻線が発生する磁束とが打ち消しあう方向に電流を流す電流分配コイルを備えて、多数列の発光ダイオードの各々に相等しい電流を流すことができる発光ダイオード駆動装置を提供できる。
【発明を実施するための最良の形態】
【０００８】
実施するための最良の形態の発光ダイオード駆動装置は、インダクタとスイッチングデバイスとを有するスイッチングコンバータを備える。また、複数個の発光ダイオードを直列接続してなる直列発光ダイオード列と、複数個の直列発光ダイオード列と各々が直列接続される複数個の整流ダイオードとを備える。また、直列発光ダイオード列と整流ダイオードとの接続点の各々に接続される複数個の電圧平滑のためのコンデンサとを備える。また、スイッチングコンバータと複数個の直列発光ダイオード列との間に配される、１または複数個の電流分配コイルを備えるものである。電流分配コイルは、第１巻線が発生する磁束と第２巻線が発生する磁束とが打ち消しあう方向に電流を流して、直列発光ダイオード列の各々に流れる電流を等しくする。以下、図を参照して、各実施形態について説明をする。
【０００９】
図１は、第１直列発光ダイオード列と第２直列発光ダイオード列とを駆動する第１実施形態の発光ダイオード駆動装置を示す図である。図１を参照して、第１実施形態について説明をする。
【００１０】
直列発光ダイオード列ＤＬ１（第１直列発光ダイオード列）は、整流ダイオードＤ１（第１整流ダイオード）のカソードとコンデンサＣ１（第１コンデンサ）の正極性端子との接続点に接続されている。直列発光ダイオード列ＤＬ１は、発光ダイオードＤＨ１１のカソードが発光ダイオードＤＨ１２のアノードに、発光ダイオードＤＨ１２のカソードが発光ダイオードＤＨ１３のアノードに、と順に、発光ダイオードＤＨ１ｎまで直列に接続されている。ここで、例えば、ｎ＝１０とされ、１０個の発光ダイオードが直列接続されている。発光ダイオードＤＨ１ｎのカソードは、コンデンサＣ１の負極性端子と接続されている。
【００１１】
直列発光ダイオード列ＤＬ２（第２直列発光ダイオード列）は、整流ダイオードＤ２（第２整流ダイオード）のカソードとコンデンサＣ２（第２コンデンサ）の正極性端子との接続点に接続されている。発光ダイオード列ＤＬ２は、発光ダイオードＤＨ２１のカソードが発光ダイオードＤＨ２２のアノードに、発光ダイオードＤＨ２２のカソードが発光ダイオードＤＨ２３のアノードに、と順に、発光ダイオードＤＨ２ｎまで直列に接続されている。ここで、例えば、ｎ＝１０とされ、直列発光ダイオード列ＤＬ１と同様に、１０個の発光ダイオードが直列接続されている。発光ダイオードＤＨ２ｎのカソードは、コンデンサＣ２の負極性端子と接続されている。整流ダイオードＤ１のアノードは、電流分配コイル（Ｂａｌａｎｃｅ  Ｃｏｉｌ）ＢＣの一方の巻線と接続され、整流ダイオードＤ２のアノードは、電流分配コイルＢＣの他方の巻線と接続されている。
【００１２】
電流分配コイルＢＣは、第１巻線（図１の上側の巻線）と第２巻線（図１の下側の巻線）とを有している。第１巻線と第２巻線とは同一のコアに巻回されている。また、第１巻線の巻数と第２巻線の巻数とは、等しくされている。第１巻線および第２巻線の各々に付された●印は、巻き始めを示す記号である。第１巻線と第２巻線とは、大きなインダクタンス成分を有し、かつ両巻線が密結合で内部磁束が打ち消し合う方向で巻かれている。図１に示すように、第１巻線の巻き始めと第２巻線の巻き終わりとを接続して、インダクタＬとスイッチングデバイスＱとの接続点に接続し、第２巻線の巻き始めに整流ダイオードＤ１を接続し、第１巻線の巻き終わりに整流ダイオードＤ２を接続している。ここで、インダクタＬとスイッチングデバイスＱで昇圧コンバータを構成している。ここで、両巻線が密結合で内部磁束が打ち消し合う方向で巻かれている、の意味は、必ずしも巻線の巻方向が限られることを意味するものではない。要は、電流分配コイルに形成された２つの巻線に流す電流の方向が磁束を打ち消す方向となるように電流分配コイルを使用することを意味するものである。
【００１３】
昇圧コンバータから出力された電流は、電流分配コイルＢＣの作用によって、均等に２分配され、整流ダイオードＤ１と整流ダイオードＤ２と、を通り、コンデンサＣ１とコンデンサＣ２との各々を充電する。ここで、コンデンサＣ１への充電電流を電流ic1、電流ic1によるコンデンサＣ１の両端の電圧上昇分を電圧ΔV11とする。また、コンデンサＣ１から直列発光ダイオード列ＤＬ１へ供給される電流を電流iled1、コンデンサＣ１の容量を容量C1、電流iled1によるコンデンサＣ１の両端の電圧減少分を電圧ΔV12とする。電圧ΔV11と電圧ΔV12とに関して、以下の数式１、数式２が成立する。コンデンサＣ１は電圧を平滑する平滑コンデンサとして機能する。
【００１４】
【数１】
2010045223.tif 000003
【００１５】
【数２】
2010045223.tif 000004
【００１６】
定常状態においてΔV11とΔV12とは等しい。
【００１７】
また、同様に、コンデンサＣ２への充電電流を電流ic2、電流ic2によるコンデンサＣ２の両端の電圧上昇分を電圧ΔV21とする。また、コンデンサＣ２から直列発光ダイオード列ＤＬ２へ供給される電流を電流iled2、コンデンサＣ２の容量を容量C2、電流iled2によるコンデンサＣ２の両端の電圧減少分を電圧ΔV22とする。電圧ΔV21、電圧ΔV22について以下の数式３、数式４が成立する。コンデンサＣ２は電圧を平滑する平滑コンデンサとして機能する。
【００１８】
【数３】
2010045223.tif 000005
【００１９】
【数４】
2010045223.tif 000006
【００２０】
定常状態においてΔV21とΔV22とは等しい。
【００２１】
このときに、電流分配コイルＢＣの作用によって、電流ic1と電流ic2とは、等しく均等に分配することができ、直列発光ダイオード列ＤＬ１に流れる電流iled1と直列発光ダイオード列ＤＬ２とに流れる電流iled2とを均等にすることができる。このようにして、直列発光ダイオード列ＤＬ１を形成する発光ダイオードＤＨ１１〜発光ダイオードＤＨ１ｎの各々の電圧Vf（電圧Vfの値は発光ダイオード毎にばらつきを有する）の電圧和は電圧Vfs1である。また、直列発光ダイオード列ＤＬ２を形成する発光ダイオードＤＨ２１〜発光ダイオードＤＨ２ｎの各々の電圧Vfの電圧和は電圧Vfs2である。電圧Vfs1と電圧Vfs2とが異なる場合においても、電流分配コイルＢＣによって、電流iled1と電流iled2とを均等にすることができる。
【００２２】
つまり、第１実施形態では、第１巻線の一方と第２巻線の一方とがスイッチングコンバータに接続されるようにした１個の電流分配コイルＢＣを有している。ここで、第１巻線の一方は巻き始め、第２巻線の一方は巻き終わり、とされている。要は、第１巻線の一方から電流を流し、第２巻線の一方から電流を流すと、両方の巻線で発生される磁束が打ち消し合うような接続であれば、第１巻線と第２巻線とを入れ替えても良く、巻き始めと巻き終わりを入れ替えても良いものである。また、他方の意味は、上述した一方とは異なる側という意味である。以下においても一方、他方の意味は同様である。
【００２３】
また、電流分配コイルＢＣの第１巻線の他方に整流ダイオードＤ１（第１整流ダイオード）を介して接続される直列発光ダイオード列ＤＬ１（第１直列発光ダイオード列）を有している。また、電流分配コイルＢＣの第２巻線の他方に整流ダイオードＤ２（第２整流ダイオード）を介して接続される直列発光ダイオード列ＤＬ２（第２直列発光ダイオード列）を有している。このようにして、２つの直列発光ダイオード列に流れる電流値を均（等）しくしている。また、第１実施形態では、コンデンサＣ１と整流ダイオードＤ１との接続点およびコンデンサＣ２と整流ダイオードＤ２との接続点には正極性の電圧が得られるとして説明をした。しかしながら、回路全体の極性（電源Ｖの極性、スイッチングコンバータの極性、整流ダイオードの極性、コンデンサの極性、直列発光ダイオード列の極性）を入れ替えて逆極性で動作させても同様の効果が得られる。以下の第２実施形態〜第７実施形態においても、極性の入れ替えについては同様のことが言える。
【００２４】
図２は、第１直列発光ダイオード列と第２直列発光ダイオード列と第３直列発光ダイオード列とを駆動する第２実施形態の発光ダイオード駆動装置の主要部を示す図である。図２を参照して、第２実施形態について説明をする。
【００２５】
図２に示す、電流分配コイルＢＣ１（第１電流分配コイル）、電流分配コイルＢＣ２（第２電流分配コイル）、電流分配コイルＢＣ３（第３電流分配コイル）は、第１実施形態における電流分配コイルＢＣと同一の構造を有している。電流分配コイルＢＣ１〜電流分配コイルＢＣ３の各第２巻線は、環状に直列に接続されている。環状に直列に接続とは以下の接続をいうものである。電流分配コイルＢＣ１の第２巻線の巻き終わりは電流分配コイルＢＣ２の第２巻線の巻き始めと接続されている。また、電流分配コイルＢＣ２の第２巻線の巻き終わりは電流分配コイルＢＣ３の第２巻線の巻き始めと接続されている。また、電流分配コイルＢＣ３の第２巻線の巻き終わりは電流分配コイルＢＣ１の第２巻線の巻き始めと接続されている。一方、電流分配コイルＢＣ１〜電流分配コイルＢＣ３の各第１巻線は、その巻き始めが相互に接続されている。
【００２６】
電流分配コイルＢＣ１〜電流分配コイルＢＣ３の相互に接続された各第１巻線は、図１に示すと同様に、インダクタＬとスイッチングデバイスＱとの接続点に接続されている。また、電流分配コイルＢＣ１の第１巻線の巻き終わりは整流ダイオードＤ１のアノードに接続されている。また、電流分配コイルＢＣ２の第１巻線の巻き終わりは整流ダイオードＤ２のアノードに接続され、電流分配コイルＢＣ３の第１巻線の巻き終わりは整流ダイオードＤ３のアノードに接続されている。
【００２７】
また、図示はされていないが、整流ダイオードＤ１のカソードは、図１に示すと同様にコンデンサＣ１の正極性端子と直列発光ダイオード列ＤＬ１のアノードとの接続点に接続されている。また、コンデンサＣ１の負極性端子と直列発光ダイオード列ＤＬ１のカソードとが接続されている。同様にして、図示はされていないが、整流ダイオードＤ２のカソードは、図１に示すと同様にコンデンサＣ２の正極性端子と直列発光ダイオード列ＤＬ２のアノードとの接続点に接続されている。また、コンデンサＣ２の負極性端子と直列発光ダイオード列ＤＬ２のカソードとが接続されている。同様にして、整流ダイオードＤ３のカソードは、コンデンサＣ３（図示せず）の正極性端子と直列発光ダイオード列ＤＬ３（図示せず）のアノードとの接続点に接続されている。また、コンデンサＣ３の負極性端子と直列発光ダイオード列ＤＬ３のカソードとが接続されている。
【００２８】
このようにして、昇圧コンバータで昇圧した電圧を、電流分配コイルＢＣ１〜電流分配コイルＢＣ３を介して、整流ダイオードＤ１〜整流ダイオードＤ３に供給する。これによって、直列発光ダイオード列ＤＬ１に流れる電流iled1と直列発光ダイオード列ＤＬ２に流れる電流iled2と直列発光ダイオード列ＤＬ３に流れる電流iled3とをすべて等しくできる。つまり、全体の電流を１／３ずつ均等に分流することができる。すなわち、電流分配コイルＢＣ１〜電流分配コイルＢＣ３の作用によって、直列発光ダイオード列ＤＬ１の電圧Vfs1と、直列発光ダイオード列ＤＬ２の電圧Vfs2と、直列発光ダイオード列ＤＬ３の電圧Vfs3と、の各々が異なる電圧であっても、直列発光ダイオード列ＤＬ１〜直列発光ダイオード列ＤＬ３のすべてに同一の電流を流すことができる。
【００２９】
第２実施形態では、電流分配コイルＢＣ１（第１電流分配コイル）の第１巻線の一方と電流分配コイルＢＣ２（第２電流分配コイル）の第１巻線の一方と電流分配コイルＢＣ３（第３電流分配コイル）の第１巻線の一方とが相互接続されている。そして、この相互接続点は、スイッチングコンバータに接続されている。ここで、一方の意味は、巻線の、巻き始め、巻き終わりのいずれか一方に特定するという意味ではない。要は、電流分配コイルＢＣ１〜電流分配コイルＢＣ３の各々の電流分配コイルにおいて、同一の電流分配コイルの第１巻線と第２巻線との巻方向が重要である。例えば、各電流分配コイルについて、第１巻線と第２巻線との両方について、巻き始めと巻き終わりの方向を入れ替えても、各電流分配コイルに発生する磁束を打ち消すように第１巻線と第２巻線に電流が流れて同様の効果が得られる。
【００３０】
また、電流分配コイルＢＣ１の第２巻線と電流分配コイルＢＣ２の第２巻線と電流分配コイルＢＣ３の第２巻線とが環状に接続される。ここで、環状とは、各電流分配コイルの各第２巻線を電流が流れるように直列に３個の電流分配コイルの第２巻線が接続されるという意味である。また、このように接続する場合において、巻線の接続の極性は、各電流分配コイルにおいて、発生する磁束を打ち消すような極性で接続されることはいうまでもないことである。また、電流分配コイルＢＣ１の第１巻線の他方に整流ダイオードＤ１（第１整流ダイオード）を介して接続される直列発光ダイオード列ＤＬ１（第１直列発光ダイオード列）を有している。また、電流分配コイルＢＣ２の第１巻線の他方に整流ダイオードＤ２（第２整流ダイオード）を介して接続される直列発光ダイオード列ＤＬ２（第２直列発光ダイオード列）を有している。また、電流分配コイルＢＣ３の第１巻線の他方に整流ダイオードＤ３（第３整流ダイオード）を介して接続される直列発光ダイオード列ＤＬ３（第３直列発光ダイオード列）を有している。
【００３１】
図３は、第１直列発光ダイオード列と第２直列発光ダイオード列と第３直列発光ダイオード列とを駆動する第３実施形態の発光ダイオード駆動装置の主要部を示す図である。図３を参照して、第３実施形態について説明をする。
【００３２】
図３に示す、電流分配コイルＢＣ１（第１電流分配コイル）、電流分配コイルＢＣ２（第２電流分配コイル）、電流分配コイルＢＣ３（第３電流分配コイル）は、第１実施形態における電流分配コイルＢＣと同一の構造を有している。電流分配コイルＢＣ１〜電流分配コイルＢＣ３の各第１巻線は、その巻き始めが相互に接続されている。また、電流分配コイルＢＣ１の第１巻線の巻き終わりは電流分配コイルＢＣ２の第２巻線の巻き終わりと接続されている。また、電流分配コイルＢＣ２の第１巻線の巻き終わりは電流分配コイルＢＣ３の第２巻線の巻き終わりと接続されている。また、電流分配コイルＢＣ３の第１巻線の巻き終わりは電流分配コイルＢＣ１の第２巻線の巻き終わりと接続されている。電流分配コイルＢＣ１〜電流分配コイルＢＣ３の相互に接続された各第１巻線は、図１に示すと同様に、インダクタＬとスイッチングデバイスＱとの接続点に接続されている。
【００３３】
一方、電流分配コイルＢＣ１の第２巻線の巻き始めは整流ダイオードＤ１のアノードに接続されている。また、電流分配コイルＢＣ２の第２巻線の巻き始めは整流ダイオードＤ２のアノードに接続されている。また、電流分配コイルＢＣ３の第２巻線の巻き始めは整流ダイオードＤ３のアノードに接続されている。
【００３４】
また、図示はされていないが、整流ダイオードＤ１のカソードは、図１に示すと同様にコンデンサＣ１の正極性端子と直列発光ダイオード列ＤＬ１のアノードとの接続点に接続されている。また、コンデンサＣ１の負極性端子と直列発光ダイオード列ＤＬ１のカソードとが接続されている。同様にして、図示はされていないが、整流ダイオードＤ２のカソードは、図１に示すと同様にコンデンサＣ２の正極性端子と直列発光ダイオード列ＤＬ２のアノードとの接続点に接続されている。また、コンデンサＣ２の負極性端子と直列発光ダイオード列ＤＬ２のカソードとが接続されている。同様にして、整流ダイオードＤ３のカソードは、コンデンサＣ３（図示せず）の正極性端子と直列発光ダイオード列ＤＬ３（図示せず）のアノードとの接続点に接続されている。また、コンデンサＣ３の負極性端子と直列発光ダイオード列ＤＬ３のカソードとが接続されている。
【００３５】
このようにして、昇圧コンバータで昇圧した電圧を、電流分配コイルＢＣ１〜電流分配コイルＢＣ３を介して、整流ダイオードＤ１〜整流ダイオードＤ３に供給する。これによって、直列発光ダイオード列ＤＬ１に流れる電流iled1と直列発光ダイオード列ＤＬ２に流れる電流iled2と直列発光ダイオード列ＤＬ３に流れる電流iled3とをすべて等しく、全体の電流を１／３ずつ均等に分流することができる。すなわち、電流分配コイルＢＣ１〜電流分配コイルＢＣ３の作用によって、直列発光ダイオード列ＤＬ１の電圧Vfs1と、直列発光ダイオード列ＤＬ２の電圧Vfs2と、直列発光ダイオード列ＤＬ３の電圧Vfs3と、の各々が異なる電圧であっても、直列発光ダイオード列ＤＬ１〜直列発光ダイオード列ＤＬ３のすべてに同一の電流を流すことができる。
【００３６】
第３実施形態では、電流分配コイルＢＣ１（第１電流分配コイル）の第１巻線の一方と電流分配コイルＢＣ２（第２電流分配コイル）の第１巻線の一方と電流分配コイルＢＣ３（第３電流分配コイル）の第１巻線の一方とが相互接続されている。そして、この相互接続点がスイッチングコンバータに接続されている。また、電流分配コイルＢＣ１の第１巻線の他方と電流分配コイルＢＣ２の第２巻線の一方とが接続されている。また、電流分配コイルＢＣ２の第１巻線の他方と電流分配コイルＢＣ３の第２巻線の一方とが接続されている。電流分配コイルＢＣ３の第１巻線の他方と電流分配コイルＢＣ１の第２巻線の一方とが接続されている。このように接続されることによって、電流分配コイルＢＣ１に発生する磁束が打ち消し合い、第１巻線に流れる電流と第２巻線に流れる電流が等しくなる。また、このように接続されることによって、電流分配コイルＢＣ２に発生する磁束が打ち消し合い、第１巻線に流れる電流と第２巻線に流れる電流が等しくなる。また、このように接続されることによって、電流分配コイルＢＣ３に発生する磁束が打ち消し合い、第１巻線に流れる電流と第２巻線に流れる電流が等しくなる。
【００３７】
また、電流分配コイルＢＣ１の第１巻線の他方に整流ダイオードＤ１（第１整流ダイオード）を介して接続される直列発光ダイオード列ＤＬ１（第１直列発光ダイオード列）を有している。また、電流分配コイルＢＣ２の第１巻線の他方に整流ダイオードＤ２（第２整流ダイオード）を介して接続される直列発光ダイオード列ＤＬ２（第２直列発光ダイオード列）を有している。また、電流分配コイルＢＣ３の第１巻線の他方に整流ダイオードＤ３（第３整流ダイオード）を介して接続される直列発光ダイオード列ＤＬ３（第３直列発光ダイオード列）を有している。
【００３８】
図４は、第１直列発光ダイオード列と第２直列発光ダイオード列と第３直列発光ダイオード列と第４直列発光ダイオード列を駆動する第４実施形態の発光ダイオード駆動装置の主要部を示す図である。図４を参照して、第４実施形態について説明をする。
【００３９】
図４に示す、電流分配コイルＢＣ１（第１電流分配コイル）、電流分配コイルＢＣ２（第２電流分配コイル）、電流分配コイルＢＣ３（第３電流分配コイル）は、第１実施形態における電流分配コイルＢＣと同一の構造を有している。電流分配コイルＢＣ１〜電流分配コイルＢＣ３の各第２巻線の巻き終わりと各第１巻線の巻き始めとは相互に接続されている。また、電流分配コイルＢＣ１の第２巻線の巻き始めは、電流分配コイルＢＣ２の第２巻線の巻き終わりと第１巻線の巻き始めとの接続点に接続されている。また、電流分配コイルＢＣ１の第１巻線の巻き終わりは、電流分配コイルＢＣ３の第２巻線の巻き終わりと第１巻線の巻き始めとの接続点に接続されている。そして、電流分配コイルＢＣ２の第２巻線の巻き始めには整流ダイオードＤ１のアノードが接続され、電流分配コイルＢＣ２の第１巻線の巻き終わりには整流ダイオードＤ２のアノードが接続されている。また、電流分配コイルＢＣ３の第２巻線の巻き始めには整流ダイオードＤ３のアノードが接続され、電流分配コイルＢＣ３の第１巻線の巻き終わりには整流ダイオードＤ４のアノードが接続されている。電流分配コイルＢＣ１の第１巻線と第２巻線との接続点は、図１に示すと同様に、インダクタＬとスイッチングデバイスＱとの接続点に接続されている。
【００４０】
また、図示はされていないが、整流ダイオードＤ１のカソードは、図１に示すと同様にコンデンサＣ１の正極性端子と直列発光ダイオード列ＤＬ１のアノードとの接続点に接続されている。また、コンデンサＣ１の負極性端子と直列発光ダイオード列ＤＬ１のカソードとが接続されている。同様にして、図示はされていないが、整流ダイオードＤ２のカソードは、図１に示すと同様にコンデンサＣ２の正極性端子と直列発光ダイオード列ＤＬ２のアノードとの接続点に接続されている。また、コンデンサＣ２の負極性端子と直列発光ダイオード列ＤＬ２のカソードとが接続されている。同様にして、整流ダイオードＤ３のカソードは、コンデンサＣ３（図示せず）の正極性端子と直列発光ダイオード列ＤＬ３（図示せず）のアノードとの接続点に接続されている。また、コンデンサＣ３の負極性端子と直列発光ダイオード列ＤＬ３のカソードとが接続されている。また、整流ダイオードＤ４（図示せず）のカソードは、コンデンサＣ４（図示せず）の正極性端子と図示しない直列発光ダイオード列ＤＬ４（第４直列発光ダイオード列）のアノードとの接続点に接続されている。また、コンデンサＣ４の負極性端子と直列発光ダイオード列ＤＬ４のカソードとが接続されている。
【００４１】
このようにして、昇圧コンバータで昇圧した電圧を、電流分配コイルＢＣ１〜電流分配コイルＢＣ３を介して、整流ダイオードＤ１〜整流ダイオードＤ４に供給する。これによって、直列発光ダイオード列ＤＬ１に流れる電流iled1と直列発光ダイオード列ＤＬ２に流れる電流iled2と直列発光ダイオード列ＤＬ３に流れる電流iled3と直列発光ダイオード列ＤＬ４に流れる電流iled4とをすべて等しく、全体の電流を１／４ずつ流すことができる。すなわち、電流分配コイルＢＣ１〜電流分配コイルＢＣ３の作用によって、直列発光ダイオード列ＤＬ１の電圧Vfs1と、直列発光ダイオード列ＤＬ２の電圧Vfs2と、直列発光ダイオード列ＤＬ３の電圧Vfs3と、直列発光ダイオード列ＤＬ４の電圧Vfs4と、の各々が異なる電圧であっても、直列発光ダイオード列ＤＬ１〜直列発光ダイオード列ＤＬ４のすべてに同一の電流を流すことができる。
【００４２】
つまり、第４実施形態では、電流分配コイルＢＣ１（第１電流分配コイル）の第１巻線の一方と第２巻線の一方とがスイッチングコンバータに接続されている。また、電流分配コイルＢＣ２（第２電流分配コイル）の第１巻線の一方と第２巻線の一方とが電流分配コイルＢＣ１の第２巻線の他方に接続されている。また、電流分配コイルＢＣ３の第１巻線の一方と第２巻線の一方とが電流分配コイルＢＣ１の第１巻線の他方に接続されている。このような接続がなされた３個の電流分配コイルを有している。このように接続されることによって、電流分配コイルＢＣ１に発生する磁束が打ち消し合い、第１巻線に流れる電流と第２巻線に流れる電流が等しくなる。また、このように接続されることによって、電流分配コイルＢＣ２に発生する磁束が打ち消し合い、第１巻線に流れる電流と第２巻線に流れる電流が等しくなる。また、このように接続されることによって、電流分配コイルＢＣ３に発生する磁束が打ち消し合い、第１巻線に流れる電流と第２巻線に流れる電流が等しくなる。
【００４３】
また、電流分配コイルＢＣ２の第２巻線の他方に整流ダイオードＤ１（第１整流ダイオード）を介して接続される直列発光ダイオード列ＤＬ１（第１直列発光ダイオード列）を有している。また、電流分配コイルＢＣ２の第１巻線の他方に整流ダイオードＤ２（第２整流ダイオード）を介して接続される直列発光ダイオード列ＤＬ２（第２直列発光ダイオード列）を有しているまた、電流分配コイルＢＣ３の第２巻線の他方に整流ダイオードＤ３（第３整流ダイオード）を介して接続される直列発光ダイオード列ＤＬ３（第３直列発光ダイオード列）を有している。また、電流分配コイルＢＣ３の第１巻線の他方に整流ダイオードＤ４（第４整流ダイオード）を介して接続される直列発光ダイオード列ＤＬ４（第４直列発光ダイオード列）を有している。
【００４４】
図５は、第１直列発光ダイオード列と第２直列発光ダイオード列と第３直列発光ダイオード列と第４直列発光ダイオード列を駆動する第５実施形態の発光ダイオード駆動装置の主要部を示す図である。図５を参照して、第５実施形態について説明をする。
【００４５】
図５に示す、電流分配コイルＢＣ４（第４電流分配コイル）の第２巻線の巻き終わりと第１巻線の巻き始めとは相互に接続されている。また、電流分配コイルＢＣ４の第２巻線の巻き始めは、電流分配コイルＢＣ２の第２巻線の巻き終わりと第１巻線の巻き始めとの接続点に接続され、電流分配コイルＢＣ２（第２電流分配コイル）の第１巻線の巻き終わりは、整流ダイオードＤ２のアノードが接続され、電流分配コイルＢＣ２の第２巻線の巻き始めには整流ダイオードＤ１のアノードが接続され、電流分配コイルＢＣ４の第１巻線の巻き終わりには整流ダイオードＤ３のアノードが接続されている。電流分配コイルＢＣ２は、第１実施形態における電流分配コイルＢＣと同一の構造を有している。一方、電流分配コイルＢＣ４の第１巻線Ｎ１の巻数は巻数N1、第２巻線Ｎ２の巻数は巻数N2とされている。ここで、N1：N2＝2：1とされている。
【００４６】
電流分配コイルＢＣ４の巻数N1と巻数N2との比がこのように設定されているので、（巻数N1を有する第１巻線Ｎ１に流れる電流）：（巻数N2を有する第２巻線Ｎ２に流れる電流）＝1:2となるように電流分配コイルＢＣ４は電流を調整する作用を生じる。また、電流分配コイルＢＣ２の第１巻線と第２巻線の各巻線の巻数は等しいので、電流分配コイルＢＣ２の第１巻線と第２巻線とに流れる電流は等しくなる。よって、電流分配コイルＢＣ４の第１巻線Ｎ１に流れる電流と電流分配コイルＢＣ２の第１巻線に流れる電流と電流分配コイルＢＣ２の第２巻線とに流れる電流は等しくなる。
【００４７】
また、図示はされていないが、整流ダイオードＤ１のカソードは、図１に示すと同様にコンデンサＣ１の正極性端子と直列発光ダイオード列ＤＬ１のアノードとの接続点に接続されている。また、コンデンサＣ１の負極性端子と直列発光ダイオード列ＤＬ１のカソードとが接続されている。同様にして、図示はされていないが、整流ダイオードＤ２のカソードは、図１に示すと同様にコンデンサＣ２の正極性端子と直列発光ダイオード列ＤＬ２のアノードとの接続点に接続されている。また、コンデンサＣ２の負極性端子と直列発光ダイオード列ＤＬ２のカソードとが接続されている。同様にして、整流ダイオードＤ３のカソードは、コンデンサＣ３の正極性端子と直列発光ダイオード列ＤＬ３のアノードとの接続点に接続されている。また、コンデンサＣ３の負極性端子と直列発光ダイオード列ＤＬ３のカソードとが接続されている。また、電流分配コイルＢＣ４の第２巻線の巻き終わりと第１巻線の巻き始めとの接続点は、図１に示すと同様に、インダクタＬとスイッチングデバイスＱとの接続点に接続されている。
【００４８】
このようにして、昇圧コンバータで昇圧した電圧を、電流分配コイルＢＣ１〜電流分配コイルＢＣ３を介して、整流ダイオードＤ１〜整流ダイオードＤ４に供給することによって、直列発光ダイオード列ＤＬ１に流れる電流iled1と直列発光ダイオード列ＤＬ２に流れる電流iled2と直列発光ダイオード列ＤＬ３に流れる電流iled3とをすべて等しく、全体の電流を１／３ずつ流すことができる。すなわち、電流分配コイルＢＣ２、電流分配コイルＢＣ４の作用によって、直列発光ダイオード列ＤＬ１の電圧Vfs1と、直列発光ダイオード列ＤＬ２の電圧Vfs2と、直列発光ダイオード列ＤＬ３の電圧Vfs3と、の各々が異なる電圧であっても、直列発光ダイオード列ＤＬ１〜直列発光ダイオード列ＤＬ３のすべてに同一の電流を流すことができる。
【００４９】
つまり、第１巻線の巻数が第２巻線の巻数の２倍となるようにして形成される電流分配コイルＢＣ４（第４電流分配コイル）の第１巻線の一方と第２巻線の一方とがスイッチングコンバータに接続され、電流分配コイルＢＣ２（第２電流分配コイル）の第１巻線の一方と第２巻線の一方とが電流分配コイルＢＣ４の第２巻線の他方に接続される、２個の電流分配コイルを有している。また、電流分配コイルＢＣ２の第２巻線の他方に整流ダイオードＤ１（第１整流ダイオード）を介して接続される直列発光ダイオード列ＤＬ１（第１直列発光ダイオード列）を有している。また、電流分配コイルＢＣ２の第１巻線の他方に整流ダイオードＤ２（第２整流ダイオード）を介して接続される直列発光ダイオード列ＤＬ２（第２直列発光ダイオード列）を有している。また、電流分配コイルＢＣ４の第１巻線の他方に整流ダイオードＤ３（第３整流ダイオード）を介して接続される直列発光ダイオード列ＤＬ３（第３直列発光ダイオード列）を有している。
【００５０】
図６は、第１直列発光ダイオード列と第２直列発光ダイオード列と第３直列発光ダイオード列とを駆動する第６実施形態の発光ダイオード駆動装置を示す図である。図６に示す回路では、電流分配回路をマイナス電源側に設け、プラス側に分配の無い電源を持った回路である。第１直列発光ダイオード列〜第３直列発光ダイオード列の電流分配はマイナス側に設けた分配回路で行われる。図６を参照して、第６実施形態について説明をする。
【００５１】
図６に示す、電流分配コイルＢＣ１〜電流分配コイルＢＣ３は、第１実施形態における電流分配コイルＢＣと同一の構造を有している。また、電流分配コイルＢＣ１〜電流分配コイルＢＣ３の接続の態様は第３実施形態と同様である。しかしながら、電流分配コイルＢＣ１〜電流分配コイルＢＣ３は負電圧の電源側に設けられているので、電流分配コイルＢＣ１の第２巻線の巻き始めは整流ダイオードＤ１のカソードに接続され、電流分配コイルＢＣ２の第２巻線の巻き始めは整流ダイオードＤ２のカソードに接続され、電流分配コイルＢＣ３の第２巻線の巻き始めは整流ダイオードＤ３のカソードに接続されている。一方、電流分配コイルＢＣ１〜電流分配コイルＢＣ３の各第１巻線の巻き始めは相互に接続されて、巻線Ｎ４の一方に接続されている。巻線Ｎ５と巻線Ｎ３と巻線Ｎ４とは同一コアに巻回されており、巻線Ｎ５から供給される交流電力が巻線Ｎ３と巻線Ｎ４とから取り出される。
【００５２】
巻線Ｎ３の一方には、整流ダイオードＤ５のアノードが接続され、整流ダイオードＤ５のカソードには、コンデンサＣ５の正極性端子が接続されて、巻線Ｎ３の他方には、コンデンサＣ５の負極性端子が接続されている。そして、コンデンサＣ５の両端には直流電圧が発生する。コンデンサＣ５の正極性端子は、第１直列発光ダイオード列〜第３直列発光ダイオード列のアノード側に接続されている。第１直列発光ダイオード列のカソード側は整流ダイオードＤ１のアノードに接続され、第２直列発光ダイオード列のカソード側は整流ダイオードＤ２のアノードに接続され、第３直列発光ダイオード列のカソード側は整流ダイオードＤ３のアノードに接続されている。また、巻線Ｎ４の他方と整流ダイオードＤ１のアノードとの間にはコンデンサＣ１が接続され、巻線Ｎ４の他方と整流ダイオードＤ２のアノードとの間にはコンデンサＣ２が接続され、巻線Ｎ４の他方と整流ダイオードＤ３のアノードとの間にはコンデンサＣ３が接続されている。
【００５３】
電流分配コイルＢＣ１〜電流分配コイルＢＣ３の作用は、第３実施形態に示すと同様であり、整流ダイオードＤ１〜整流ダイオードＤ３の各々に均等な電流を流すようにする。これによって、第１直列発光ダイオード列〜第３直列発光ダイオード列の各々に流れる電流量を均等なものとできる。
【００５４】
つまり、第６実施形態では、第３実施形態と同様な電流分配コイルＢＣ１〜電流分配コイルＢＣ３の接続態様を採用している。しかしながら、第３実施形態とは、整流ダイオードＤ１〜整流ダイオードＤ３の極性とコンデンサＣ１〜コンデンサＣ３の極性とを逆極性としている。直列発光ダイオード列ＤＬ１（第１直列発光ダイオード列）のアノードと直列発光ダイオード列ＤＬ２（第２直列発光ダイオード列）のアノードと直列発光ダイオード列ＤＬ３（第３直列発光ダイオード列）のアノードとを相互に接続して、その接続点には、整流ダイオードＤ１〜整流ダイオードＤ３の各々とコンデンサＣ１〜コンデンサＣ３の各々との接続点の電圧と逆極性の電圧を発生する電圧源が接続されている。ここで、電圧源は、巻線Ｎ３からの電力を整流ダイオードＤ５とコンデンサＣ５とで整流平滑して得られる。
【００５５】
図７は、パルス幅変調（ＰＷＭ）調光用のスイッチを備える発光ダイオード駆動装置を示す図である。図７に示す回路では、ＰＷＭ調光用のスイッチＳＷ１と同期して動作するスイッチＳＷ２を備える。すなわち、ＰＷＭ調光用のスイッチＳＷ１が導通（ＯＮ）状態であるときにスイッチＳＷ２が導通（ＯＮ）状態であり、ＰＷＭ調光用のスイッチＳＷ１が切断（ＯＦＦ）状態であるときにスイッチＳＷ２が切断（ＯＦＦ）状態となる。このように制御することによって、ＰＷＭ調光用のスイッチＳＷ１の導通（ＯＮ）状態が長いとき（ＯＮの時比率が大きいとき）程、第１直列発光ダイオード列〜第３直列発光ダイオード列に流れる電流の量を大きくできる。それとともに、ＰＷＭ調光用のスイッチＳＷ１が切断（ＯＦＦ）状態であるときには、コンデンサＣ１〜コンデンサＣ３に電流が流れる経路を切断するようにスイッチＳＷ１が切断（ＯＦＦ）状態とされる。
【００５６】
このような動作をさせるために、図７に示すように、巻線Ｎ３とコンデンサＣ５の接続点と接地点（ＧＮＤ）との間にスイッチＳＷ１は接続され、巻線Ｎ４と、コンデンサＣ１とコンデンサＣ２とコンデンサＣ３との接続点（接地点でもある）との間にスイッチＳＷ２は接続されている。
【００５７】
このようにして、スイッチＳＷ１の導通（ＯＮ）の時比率を制御して、第１直列発光ダイオード列〜第３直列発光ダイオード列の各々に流れる電流の大きさを均一なものとしながら、その電流の大きさを調整できる。また、スイッチＳＷ１が切断（ＯＦＦ）状態では、各発光ダイオードが発光をしていないオフ時に、電流分配回路を巻線Ｎ４から切り離して、コンデンサＣ１〜コンデンサＣ４への不要な充電を防ぎ安定した電流分配を実現することができる。
【００５８】
つまり、第７実施形態では、第６実施形態に加えて、第１スイッチＳＷ１と第２スイッチＳＷ２とを備えている。スイッチＳＷ１（第１スイッチ）は、正極性の電圧源から、直列発光ダイオード列ＤＬ１（第１直列発光ダイオード列）と直列発光ダイオード列ＤＬ２（第２直列発光ダイオード列）と直列発光ダイオード列ＤＬ３（第３直列発光ダイオード列）とに電力が供給される時比率を制御するようになされている。また、スイッチＳＷ２（第２スイッチ）はスイッチＳＷ１と同期して同時に導通となるように動作する。そして、スイッチＳＷ２は、スイッチングコンバータと、電流分配コイルＢＣ１（第１電流分配コイル）の第１巻線の一方と電流分配コイルＢＣ２（第２電流分配コイル）の第１巻線の一方と電流分配コイルＢＣ３（第３電流分配コイル）の第１巻線の一方と、接地との間に配される。
【００５９】
実施形態の発光ダイオード駆動装置によれば、一つのドライブ回路で多数の発光ダイオードの駆動が可能になるので、コストダウン/スペースの削減/部品点数の削減が可能になる。また、発光ダイオードの順方向電圧（電圧vf）に、ばらつきがあったとしても、電圧vfごとに発光ダイオードを選別するなどの作業も不要となるので、発光ダイオードの安定供給/コストダウンにも寄与する。
【図面の簡単な説明】
【００６０】
【図１】第１直列発光ダイオード列と第２直列発光ダイオード列とを駆動する第１実施形態の発光ダイオード駆動装置を示す図である。
【図２】第１直列発光ダイオード列と第２直列発光ダイオード列と第３直列発光ダイオード列とを駆動する第２実施形態の発光ダイオード駆動装置の主要部を示す図である。
【図３】第１直列発光ダイオード列と第２直列発光ダイオード列と第３直列発光ダイオード列とを駆動する第３実施形態の発光ダイオード駆動装置の主要部を示す図である。
【図４】第１直列発光ダイオード列と第２直列発光ダイオード列と第３直列発光ダイオード列と第４直列発光ダイオード列を駆動する第４実施形態の発光ダイオード駆動装置の主要部を示す図である。
【図５】第１直列発光ダイオード列と第２直列発光ダイオード列と第３直列発光ダイオード列と第４直列発光ダイオード列を駆動する第５実施形態の発光ダイオード駆動装置の主要部を示す図である。
【図６】第１直列発光ダイオード列と第２直列発光ダイオード列と第３直列発光ダイオード列とを駆動する第６実施形態の発光ダイオード駆動装置を示す図である。
【図７】パルス幅変調（ＰＷＭ）調光用のスイッチを備える発光ダイオード駆動装置を示す図である。
【符号の説明】
【００６１】
ＢＣ、ＢＣ１、ＢＣ２、ＢＣ３、ＢＣ４  電流分配コイル、  Ｃ１、Ｃ２、Ｃ３、Ｃ４、Ｃ５  コンデンサ、  Ｄ１、Ｄ２、Ｄ３、Ｄ４、Ｄ５  整流ダイオード、  ＤＨ１１、ＤＨ１２、ＤＨ１３、ＤＨ１ｎ、ＤＨ２１、ＤＨ２１、ＤＨ２２、ＤＨ２３、ＤＨ２ｎ  発光ダイオード、  ＤＬ１、ＤＬ２、ＤＬ３、ＤＬ４（図示せず）  直列発光ダイオード列、  Ｌ  インダクタ、  Ｎ１、Ｎ２、Ｎ３、Ｎ４、Ｎ５  巻線、  Ｑ  スイッチングデバイス、  ＳＷ１、ＳＷ２  スイッチ、  Ｖ  電源
【図１】
2010045223.tif 000007
【図２】
2010045223.tif 000008
【図３】
2010045223.tif 000009
【図４】
2010045223.tif 000010
【図５】
2010045223.tif 000011
【図６】
2010045223.tif 000012
【図７】
2010045223.tif 000013